(57)【要約】  本発明は、筐体、タービン及び電磁変換器を含み得る呼気測定モジュールを開示する。筐体は受容空間を形成し、該受容空間は呼気流を入口から出口に通すために該入口及び該出口に接続される。タービンは、呼気流の下で回転可能な複数の磁性羽根を含み得る。タービンの近くに位置する電磁変換器は磁性羽根の回転運動を表す電気信号を生成し得る。電気信号は呼気の量を評価するために電磁変換器により出力され得る。
2019527124.tif 000002
【特許請求の範囲】
【請求項１】
受容空間を形成する筐体であって、該受容空間は呼気流を入口から出口に通すために該入口及び該出口に接続されている、筐体と、
前記受容空間内に位置するタービンであって、該タービンは樹脂及び鉄粉の混合物と永久磁石とでできており、前記入口と前記出口との間の方向に垂直な軸を中心に前記呼気流の下で回転可能な複数の磁性羽根を含む、タービンと、
前記タービンの近くに位置するとともに、前記磁性羽根の回転運動を表す複数の電気信号を生成する電磁変換器と、
を含む呼気測定モジュールであって、
前記電気信号は、前記入口から前記出口までの前記呼気流のフロー特性を評価するために前記電磁変換器により出力される、呼気測定モジュール。
【請求項２】
前記電気信号を送信するために前記電磁変換器に電気的に接続される少なくとも１つの出力端子をさらに含む、請求項１に記載の呼気測定モジュール。
【請求項３】
前記電気信号を受信して、前記呼気流の下での前記タービンの回転速度に関する少なくとも１つの中間値を前記電気信号から算出する第１の処理コンポーネントをさらに含む、請求項１に記載の呼気測定モジュール。
【請求項４】
前記第１の処理コンポーネントはマイクロコントローラである、請求項３に記載の呼気測定モジュール。
【請求項５】
前記電磁変換器に電気的に接続されて、前記電磁変換器から前記電気信号を受信し、前記呼気流の下での前記タービンの回転速度に関する中間値を算出して送信する無線モジュールをさらに含む、請求項１に記載の呼気測定モジュール。
【請求項６】
前記無線モジュールはＢｌｕｅｔｏｏｔｈ（登録商標）規格に準拠する、請求項５に記載の呼気測定モジュール。
【請求項７】
呼気流の特性を測定するための呼気測定モバイル装置であって、
プラットフォームコンポーネントと、
前記プラットフォームコンポーネントに搭載される複数の機能モジュールであって、該複数の機能モジュールのそれぞれは少なくとも１つの機能を行うように構成され、通話を行うための通話モジュールと、前記呼気流の直線運動を回転運動に変換する呼気測定モジュールとを少なくとも含む、複数の機能モジュールと、
を含み、
前記通話モジュールは、
前記第１の処理コンポーネントから中間値を受信するデータ受信コンポーネントと、
モバイルアプリケーションコードを記憶するメモリと、
前記データ受信コンポーネント及び前記メモリに電気的に接続されるとともに、前記モバイルアプリケーションコードを実行する動作を行う第２の処理コンポーネントと、を含み、
前記呼気測定モジュールは、
受容空間を形成する筐体であって、該受容空間は前記呼気流を入口から出口に通すために該入口及び該出口に接続されている、筐体と、
前記受容空間内に位置するタービンであって、該タービンは樹脂及び鉄粉の混合物と永久磁石とでできており、前記入口と前記出口との間の方向に垂直な軸を中心に前記呼気流の下で回転可能な複数の磁性羽根を含む、タービンと、
前記タービンの近くに位置するとともに、前記磁性羽根の回転運動を表す複数の電気信号を生成する電磁変換器と、
前記電気信号を受信して、前記呼気流の下での前記タービンの回転速度に関する少なくとも１つの中間値を前記電気信号から算出する第１の処理コンポーネントと、を含み、
前記通話モジュールは、前記電磁変換器から出力される電気信号を通じて呼気流特性のための値を算出し、
前記モバイルアプリケーションコードは、前記データ受信コンポーネント、前記メモリ及び前記第２の処理コンポーネントを用いて、前記呼気測定モバイル装置に少なくとも、
流量と前記中間値との間の相関関係を分析すること、
所定の期間内での前記相関関係に基づいて前記呼気流特性のための値を算出すること、
を行わせるよう構成されている、呼気測定モバイル装置。
【請求項８】
前記第１の処理コンポーネントはマイクロコントローラである、請求項７に記載の呼気測定モバイル装置。
【請求項９】
前記モバイルアプリケーションコードは、前記データ受信コンポーネント、前記メモリ及び前記第２の処理コンポーネントを用いて、前記呼気測定モバイル装置にさらに前記相関関係に基づいて前記呼気流の最大呼気流量を計算させるように構成されている、請求項７に記載の呼気測定モバイル装置。
【請求項１０】
前記データ受信コンポーネントはプリント基板と該プリント基板に搭載される集積回路である、請求項７に記載の呼気測定モバイル装置。
【請求項１１】
前記呼気測定モジュールは、前記電磁変換器に電気的に接続されて、前記電磁変換器から前記電気信号を受信し、呼気流の下での前記タービンの回転速度に関する中間値を算出して送信する無線モジュールをさらに含む、請求項７に記載の呼気測定モバイル装置。
【請求項１２】
前記無線モジュール及び前記データ受信コンポーネントはＢｌｕｅｔｏｏｔｈ（登録商標）規格に準拠する、請求項１１に記載の呼気測定モバイル装置。
【請求項１３】
前記呼気測定モジュールの入口に取り外し可能に接続されるとともに該入口を取り囲む空気ノズルをさらに含む、請求項７に記載の呼気測定モバイル装置。
【発明の詳細な説明】
【技術分野】
【０００１】
本発明は一般に呼気測定方法、呼気測定モジュール及び呼気測定モジュールを有するモバイル装置に関し、具体的には、本発明はサイズがスリムな呼気測定モジュールに関する。
【背景技術】
【０００２】
肺活量は、人の生理学的状態を知るのに用いられる重要な手掛かりのうちの１つである。肺活量は人の年齢、人種、性別等によって異なり得るため、一般にウェットな又は通常の肺活量測定法で測定され、その結果が医者等の医学的な専門技能を有する人によって評価されて病気の存在が識別される。当然ながら、コストは日々の測定の障害になっている。したがって、許容可能なコストで自身の肺活量を知りたいと思う場合、呼気流の流量、通常最大呼気流の流量を測定可能な手持ち式の肺活量計は良い選択肢である。何故なら、医学的な専門技能のない人にとって測定が簡単であり、一般の人にとって値段が手頃だからである。
【発明の概要】
【発明が解決しようとする課題】
【０００３】
本発明は、人の呼気流の特性を測定するための呼気測定方法、呼気測定モジュール及び呼気測定モジュールを有するモバイル装置を提供することを目的とする。呼気流の直線運動を回転運動に変換可能なタービンと、タービンの磁性羽根の回転運動を表す電気信号を通じて、好ましくは最大呼気の呼気流の特性、例えば流量、最初の１秒間の努力呼気量（ＦＥＶ１）、最大呼気流量（ＰＥＦ）等が算出され得る。
【課題を解決するための手段】
【０００４】
本発明の一態様では、本発明は、呼気流の特性を測定するための呼気測定モバイル装置を提供し得る。呼気測定モバイル装置はプラットフォームコンポーネント及び複数の機能モジュールを含む。複数の機能モジュールはプラットフォームコンポーネントに搭載され、それぞれ少なくとも１つの機能を行うように構成されている。機能モジュールは通話を行うための通話モジュールと、呼気流の流量に関する複数の電気信号を生成する呼気測定モジュールを少なくとも含み得る。呼気測定モジュールは呼気流を受ける流量計を含み、通話モジュールは呼気測定モジュールから出力される電気信号を通じて呼気特性のための値を算出し得る。
【０００５】
本発明の別の態様では、本発明は筐体、タービン及び電磁変換器を含み得る呼気測定モジュールを提供し得る。筐体は受容空間を形成し、該受容空間は呼気流を入口から出口に通すために該入口及び該出口に接続される。受容空間内に位置するタービンは呼気流の下で回転可能な複数の磁性羽根を含み得る。タービンの近くに位置する電磁変換器は磁性羽根の回転運動を表す複数の電気信号を生成し得る。電気信号は、呼気流の特性を評価するために電磁変換器により出力され得る。
【０００６】
本発明の別の態様では、本発明は呼気流の特性を測定するための呼気測定モバイル装置を提供し得る。呼気測定モバイル装置はプラットフォームコンポーネント及び複数の機能モジュールを含み得る。通話モジュール及び呼気測定モジュールを少なくとも含む機能モジュールはプラットフォームコンポーネントに搭載され、それぞれ少なくとも１つの機能を行うように構成されている。通話モジュールは通話するためのものであり、呼気測定モジュールは呼気流の直線運動を回転運動に変換するためのものであり得る。呼気測定モジュールは筐体、タービン及び電磁変換器を含み得る。筐体は受容空間を形成し、該受容空間は呼気流を入口から出口に通すために該入口及び該出口に接続される。受容空間内に位置するタービンは呼気流の下で回転可能な複数の磁性羽根を含み得る。タービンの近くに位置する電磁変換器は磁性羽根の回転運動を表す複数の電気信号を生成し得る。電気信号は、呼気流の特性を評価するために電磁変換器により出力され得る。
【０００７】
本発明のさらに別の態様では、本発明は呼気測定方法を提供し、呼気測定方法は呼気流の特性を測定するためのモバイル装置に適用され得る。モバイル装置はデータ受信コンポーネント、モバイルアプリケーションコードを記憶するメモリ及びモバイルアプリケーションコードを行うように動作する第２の処理コンポーネントを含み得る。呼気測定方法は、呼気流の直線運動を回転運動に変換するタービンの呼気流の下での回転速度に関する中間値をデータ受信コンポーネントを用いて受信するステップと、第２の処理コンポーネントを用いて、モバイルアプリケーションコードを実行して流量と中間値との間の相関関係を分析し、所定の期間内の相関関係に基づいて呼気特性のための値を算出するステップとを含む。
【図面の簡単な説明】
【０００８】
本発明の様々な目的及び利点は、添付の図面と併せて下記の詳細な説明を読むことでより容易に理解できるようになる。
【図１】図１は、本発明の一実施形態に係る、呼気流の特性を測定するための呼気測定モジュールの斜視図を示す。
【図２】図２は、図１と同じ呼気測定モジュールの斜視図を別の角度で示す。
【図３】図３は、本発明の一実施形態に係る、呼気流の特性を測定するための呼気測定モバイル装置の斜視図を示す。
【図４】図４は、本発明の一実施形態に係る通話モジュールの機能ブロックを示す。
【発明を実施するための形態】
【０００９】
本開示とその利点をより完全に理解できるように、添付の図面と併せて下記の説明を参照する。添付の図面では同様の参照符号は同様の特徴を示す。当業者であれば、本願に記載のものを含む例示の実施形態を実施するために他の変種があることが分かる。図面は特定の縮尺に限定されず、同様の参照符号は同様の要素を表すのに用いられている。本開示及び添付の特許請求の範囲において用いられている「実施形態の一例」、「例示の実施形態」及び「本実施形態」という用語は、必ずしも１つの実施形態を意味するものではなく、本開示の範囲又は精神から逸脱することなく様々な例示の実施形態が容易に組み合わされ且つ置き換えられ得る。
【００１０】
図１及び図２を参照されたい。図１は本発明の一実施形態に係る、呼気流の特性を測定するための呼気測定モジュールの斜視図を示し、図２は図１のものと同じ呼気測定モジュールの斜視図を別の角度で示す。まず、呼気測定モジュール１３は、呼気流の直線運動を回転運動に変換するために用いられる。呼気測定モジュール１３は筐体１３１、タービン１３２、電磁変換器１３３、複数の出力端子１３４及び第１の処理コンポーネント１３５を含み得る。サイズがスリムな呼気測定モジュール１３は、限定されないが携帯電話、ＰＤＡ（パーソナルデジタルアシスタント）、デジタルカメラ、時計、タブレットコンピュータ、例えば、限定されないがＷｉ−Ｆｉ又はＢｌｕｅｔｏｏｔｈ（登録商標）無線通信等を適用する無線送信を行うことが可能なスタンドアローン装置によって実施され得る現代のモバイル装置の構成に適合され得る。
【００１１】
筐体１３１は受容空間１３１１を形成し、受容空間１３１１は、入口１３１２から出口１３１３に呼気流を通すために入口１３１２及び出口１３１３に接続されている。呼気流が入り易くするため、呼気測定モジュール１３は空気ノズル１４と組み合わされ得る。空気ノズル１４は呼気測定モジュール１３の入口１３１２に取り外し可能に接続されるとともに入口１３１２を取り囲む。出口１３１３は入口１３１２よりも大きいことが好ましい。なお、空気ノズル１４の形状は一例にすぎない。好ましくは最大呼気である呼気流は、空気ノズル１４を通って入口１３１２から受容空間１３１１に入り、そして出口１３１３から受容空間１３１１を出る。
【００１２】
受容空間１３１１内に位置するタービン１３２は、ここでは、呼気流の下で回転可能な６つの磁性羽根１３２１、１３２２、１３３３、１３３４、１３３５、１３３６で構成されている。６つの磁性羽根１３２１、１３２２、１３３３、１３３４、１３３５、１３３６等のタービン１３２の全体又は一部は、永久磁石としての役割を果たすために、鉄、コバルト、ニッケル又はその化合物若しくは合金等の磁性物質又は少なくとも１つの磁性物質を含むいくつかの物質の混合物、例えば限定されないが、軽量下のためのアクリロニトリルブタジエンスチレン（ＡＢＳ）樹脂と鉄粉との混合物で構成され得る。ここでは、タービン１３２。なお、磁性羽根１３２１、１３２２、１３３３、１３３４、１３３５、１３３６の数及び形状は変化し得る。
【００１３】
電磁変換器１３３はタービン１３２の近くに位置し、タービン１３２のすぐそばにあることが好ましい。ここでは、電磁変換器１３３はリードスイッチにより実施されるが、リードスイッチをホール効果センサに置き換えてもよい。呼気流によって磁性羽根１３２１、１３２２、１３３３、１３３４、１３３５、１３３６が回転する間に、磁性羽根１３２１、１３２２、１３３３、１３３４、１３３５、１３３６のうちの１つが、例えば磁性羽根１３２５が電磁変換器１３３に接近すると、電磁変換器１３３はこれを表す電気信号を生成し得る。磁性羽根１３２１、１３２２、１３３３、１３３４、１３３５、１３３６が回り続けると仮定した場合、次の磁性羽根１３３６が電磁変換器１３３に接近することを表すために別の電気信号が生成され、磁性羽根１３２１のためにさらに別の電気信号が生成される。したがって、電気信号は、タービン１３２の磁性羽根１３２１、１３２２、１３３３、１３３４、１３３５、１３３６の回転運動を表す。電気信号の一部又は全ては、呼気流の特性を評価するために電磁変換器１３３によって出力され得る。
【００１４】
そして、電磁変換器１３３から出力された電気信号を通じて、呼気流の特性が算出され得る。ここでは、出力端子１３４の一部は電磁変換器１３３に、別の一部は第１の処理コンポーネント１３５に電気的に接続され得る。出力端子１３４の数は特定の数に限定されない。電気信号送信インターフェイスである出力端子１３４を通じて、第１の処理コンポーネント１３５は電気信号を受信し得る。第１の処理コンポーネント１３５は、電気信号から、呼気流の下でのタービン１３２の回転速度に関連する中間値の平均又は最も高い記録を好ましくは定期的に算出可能なマイクロコントローラ、マイクロプロセッサ等であり得る。例えば、第１の処理コンポーネント１３５は、１分、１０秒、１秒、１０ｍｓ等の所定の期間に受信した電気信号の数を数えて、タービン１３２の回転速度を中間値として算出し得る。そして、中間値は出力端子１３４を通じて出力される。呼気流の特性は、第１の処理コンポーネント１３５又は少なくとも１つの既知の流れと測定した回転運動との間の相関関係分析（後で詳述する）に基づき中間値を受信する別個の装置（separated  device）により算出され得る。なお、呼気測定モジュール１３の構成を簡素にするために第１の処理コンポーネント１３５を省略してもよいが、その場合には、呼気流の特性を算出するために各電気信号を処理することの負担が別個の装置により多くかかる。
【００１５】
中間値、場合によってはタービン１３２の回転速度の現在の一連の値を受信する第１の処理コンポーネント１３５又は別個の装置は、少なくとも１つの既知の流量曲線と、中間値により構成されるタービン１３２の回転速度の曲線との間の相関関係を、好ましくはデータベース又は参照テーブルを援用して分析し得る。データベース又は参照テーブルには、年齢、人種、性別、健康状態の異なる人から取ったサンプルであり得る所定の数の既知の流れ又は保存したユーザーの呼気流のための関連データ例えば流量曲線が存在し得る。磁性羽根１３２１、１３２２、１３３３、１３３４、１３３５、１３３６の周りの空気及び慣性のために、磁性羽根１３２１、１３２２、１３３３、１３３４、１３３５、１３３６の慣性のための適切な補正が実施され得る。
【００１６】
呼気流が瞬間的に最大になった後の期間にタービン１３２の速度は低下し得る。この期間におけるタービン１３２の測定回転速度、好ましくは毎分回転数（ＲＰＭ）は、慣性により実際の流れを表していないことがある。瞬間的な回転速度自体に加えて、タービン１３２の回転速度の変化率を観察することにより慣性補正が可能であり得る。流れのない状態においてタービン１３２の回転速が度低下する平均レートを実験で特定し、そのレートと測定したタービン１３２の回転速度の変化率とを比較することにより、流れが止まっているがタービン１３２が慣性により回転している状態が検出され得る。さらに、測定したタービン１３２の回転速度の変化率とこの期間の流れとを関連付けるテーブルを実験的に作成し、第１の処理コンポーネント１３５又は別個の装置に記憶させてもよい。加えて、タービン１３２は、慣性及び摩擦力に打ち勝つために初期時間が必要になり得る。補正のために、開始時間を新たな時間、効果的な開始時間にシフトさせるアルゴリズムが第１の処理コンポーネント１３５又は別の装置により用いられ得る。
【００１７】
そして、第１の処理コンポーネント１３５は別個の装置は、所定の期間内の相関関係に基づいて、流量、最初の１秒間の努力呼気量（ＦＥＶ１）、最大呼気流量（ＰＥＦ）等の呼気特性のための値を算出し得る。１秒間内で測定した流量の合計であるＦＥＶ１及び絶対最大流量であるＰＥＦは、最も相関関係がある既知の流れと測定した流れを用いた補間法により算出され得る。
【００１８】
別の実施形態では、第１の処理コンポーネントは、電磁変換器から電気信号を受信するために電磁変換器に電気的に接続されて、呼気流の特性を評価するために中間値を算出し送信する無線モジュールであり得る。この場合、出力端子及び第１の処理コンポーネントの双方は不必要である。無線モジュールは、無線送信のための無線規格、例えばＷｉ−Ｆｉ又はＢｌｕｅｔｏｏｔｈ（登録商標）規格に準拠し得る。
【００１９】
さらに別の実施形態、好ましくは容積式タービンの実施において、電磁変換器により生成される電気信号は、タービンの内部の容積又は２つの隣接する呼気流のための羽根の間の空間の容積によって定義される一定の容積単位に関連し得る。生成される電気信号の数は一定の容量単位に対応する。第１の処理コンポーネントは、例えば１分、１０秒、１秒等の所定の期間に受信した電気信号の数を数えて、磁性羽根が回転した全回転（full  rotations）の数を中間値として算出し得る。例えば、タービンに６つの羽根があると仮定した場合、全回転は６つの電気信号毎である。中間値を受信する第１の処理コンポーネント又は別個の装置により分析される相関関係は、タービン内部の既知の容積又は２つの隣接する羽根の間の空間の容積に関連するパラメータにより構成されるアルゴリズムであり得る。また、アルゴリズム内のパラメータはタービンの直径、タービン内の空間の厚さ、磁性羽根の数等に関連し得る。簡素な例では、呼気流量のＦＥＶ１は、最初の１秒のタービンの全回転の数と受容空間の容積とを掛けたものを算出するためのアルゴリズムを用いて算出され得る。パラメータは本願で開示の例に限定されず、算出のための所望の精度を得るために選択され得る。
【００２０】
図３を参照されたい。図３は、本発明のさらに別の実施形態に係る呼気の流量を測定するための呼気測定モバイル装置１の斜視図を示す。本実施形態では、呼気測定モバイル装置１は限定されないがプラットフォームコンポーネント１１及び複数の機能モジュール１２、１３を含む携帯電話であり得る。機能モジュール１２、１３のそれぞれは、少なくとも１つの機能を行うように構成されている。具体的には、機能モジュール１２、１３は電話をかけるための通話モジュール１２と、呼気流の直線運動を回転運動に変換するための呼気測定モジュール１３とを少なくとも含む。双方のモジュールはプラットフォームコンポーネント１１に搭載され得る。ここでは、呼気測定モジュール１３は、例えば図１の呼気測定モジュール１３であり得る。プラットフォームコンポーネント１１、通話モジュール１２及び呼気測定モジュール１３は互いに電気的に接続され得る。なお、機能モジュールの数は異なり得る。例えば、異なる機能を有する少なくとも１の機能モジュールが任意で追加され得る。プラットフォームコンポーネント１１は機能モジュール１２、１３のそれぞれに取り外し可能に接続されるか又は少なくとも１つの機能モジュール１２、１３と、例えば通話モジュール１２と共に組み付けられて、搭載される機能モジュール１２、１３のそれぞれが互いに通信できるようにインターフェイスとして機能する。
【００２１】
具体的には、図４に示すように、通話モジュール１２はデータ受信コンポーネント１２１、第２の処理コンポーネント１２２及びメモリ１２３を含み得る。データ受信コンポーネント１２１は呼気測定モジュール１３から、例えば、限定されないが図１に示す第１の処理コンポーネント１３５又は電磁変換器１３３から中間値を受信し得る。具体的には、データ受信コンポーネント１２１は、呼気測定モジュール１３からの中間値を渡す部材の種類に応じて、プリント回路基板とそれに搭載される集積回路、Ｂｌｕｅｔｏｏｔｈ（登録商標）規格に準拠した受信機により実施され得る。第２の処理コンポーネント１２２は、データ受信コンポーネント１２１及びメモリ１２３の動作を制御するためにデータ受信コンポーネント１２１及びメモリ１２３に電気的に接続され得る。
【００２２】
メモリ１２３はモバイルアプリケーション等のモバイルアプリケーションコードを記憶し得る。本実施形態では、モバイルアプリケーションコードは、従順な（obedient）呼気測定モジュール１３により、磁性羽根１３２１、１３２２、１３３３、１３３４、１３３５、１３３６の回転運動を表す電気信号を生成し、そして呼気測定モジュール１３から出力された電気信号を通じて呼気流の特性を算出するように構成され得る。具体的には、第２の処理コンポーネント１２２はモバイルアプリケーションコードを実行して、電気信号を受信する第１の処理コンポーネント１３５を用いて、呼気流の下でのタービン１３２の回転速度に関連する中間値を電気信号から計算し、データ受信コンポーネント１２１を用いて第１の処理コンポーネント１３５から中間値を受信し、第２の処理コンポーネント１２２及びメモリ１２３を用いて流量と中間値との間の相関関係を分析し、所定の期間内での相関関係に基づいて呼気特性のための値を計算する。相関関係分析は図１に示す実施形態のものと同様であり得る。したがって、上述したように、呼気流の直線運動を回転運動に変換可能なタービンと、タービンの磁性羽根の回転運動を表す電気信号とを通じて、呼気流の特性が算出され得る。
【００２３】
別の実施形態では、呼気測定モバイル装置はＰＤＡ（パーソナルデジタルアシスタント）、デジタルカメラ、時計、タブレットコンピュータ又は例えば、限定されないがＷｉ−Ｆｉ又はＢｌｕｅｔｏｏｔｈ（登録商標）無線通信等を適用する無線送信を行うことが可能なスタンドアローン装置により実施され得る。呼気流の特性を測定するための呼気測定モバイル装置のさらに別の実施形態では、呼気測定モジュールは、呼気流の流量に関連する複数の電気信号を生成するために、タービンに代えて別の種類の流量計を含み得る。通話モジュールは、呼気測定モジュールから出力された電気信号を通じて呼気特性のための値を算出し得る。なお、流量計は限定されないが、タービン、差圧流量計、渦流量計、超音波ドップラー流量計等であり得る。差圧流量計は、抵抗、オリフィスプレート、ベンシュリ管、フローノズル等に亘る圧力の低下を測定することにより流れを検出し得る。超音波ドップラー流量計は超音波トランスデューサから流れを算出し得る。
【００２４】
開示した原理に係る様々な実施形態を上述したが、それらは一例として提示したものに過ぎず限定されない。そのため、例示の実施形態の幅及び範囲は上記の実施形態のいずれかにより限定されるべきではなく、本開示に由来する特許請求の範囲及びその同等物に従ってのみ定義されるべきである。さらに、説明した実施形態において上記の利点及び特徴が提供されたが、本開示に由来する特許請求の範囲の適用は上記の利点のいずれか又は全てを実現するプロセス及び構造に限定されない。
【００２５】
加えて、本願における項目の見出しは、構成上の目印を提供するため連邦規則集３７巻１．７７に基づく示唆等に合致した形で設けられている。これらの見出しは、本開示に由来し得る特許請求の範囲に規定の発明を限定又は特徴付けるべきではない。具体的には、「背景技術」における技術の説明は、技術が本開示の発明の先行技術であると認めていると解釈すべきではない。さらに、本開示において、「発明」を単数の形で言及していても、それを本開示に新規性が１点しかないとの主張に用いるべきでない。本開示に由来する複数の請求項の限定に従って複数の発明が規定される。したがって、そのような請求項はそれにより保護される発明及びそれらの同等物を定義する。全ての場合において、そのような請求項の範囲は、本開示に照らし請求項自体の価値に基づき解釈すべきであって、本願における見出しにより制限すべきでない。
【図１】
2019527124.tif 000003
【図２】
2019527124.tif 000004
【図３】
2019527124.tif 000005
【図４】
2019527124.tif 000006
【国際調査報告】
2019527124.tif 000007
2019527124.tif 000008
2019527124.tif 000009